(57)【要約】【課題】ショッピングカートの下段に載せた商品籠を簡単にレジ台へ移すことができ、コストも低廉で済む商品籠移送装置を提供すること。【解決手段】レジ台１と、レジ台１の端部に設置されたカウンター２と、商品籠Ａを載せる上段棚４及び下段棚５を有するショッピングカート３を備え、カウンター２は、その上面の高さが、ショッピングカート３の下段棚５以下となる下降位置と、レジ台１の上面と同じになる上昇位置との間を昇降可能であり、カウンター２又はショッピングカート３の下段棚５に、下降位置におけるカウンター２の上面とショッピングカート３の下段棚５との間に架設可能な移送板１１を設けてある。【選択図】図１
2008254836.tif 000002
【特許請求の範囲】
【請求項１】
レジ台の端部に設置されたカウンターと、商品籠を載せる上段棚及び下段棚を有するショッピングカートとを備え、前記カウンターは、その上面の高さが、ショッピングカートの下段棚以下となる下降位置と、前記レジ台の上面と同じになる上昇位置との間を昇降可能であり、前記カウンター又はショッピングカートの下段棚に、下降位置における前記カウンターの上面とショッピングカートの下段棚との間に架設可能な移送板を設けてあることを特徴とした商品籠移送装置。
【請求項２】
カウンター設置箇所の、前記レジ台側及び移送板設置側を除く側面を透明で開閉可能な側壁により閉鎖した請求項１に記載の商品籠移送装置。
【請求項３】
前記下段棚の上面にベアリングを設置してある請求項１又は２に記載の商品籠移送装置。
【請求項４】
前記下段棚を移送板設置側が低くなるよう傾斜させてある請求項１又は２に記載の商品籠移送装置。
【請求項５】
前記移送板を起倒可能とした請求項１〜４のいずれかに記載の商品籠移送装置。
【請求項６】
前記移送板を前記カウンターの上面に摺動して出没するよう設けた請求項１又は２に記載の商品籠移送装置。
【発明の詳細な説明】
【技術分野】
【０００１】
本発明は、スーパーマーケット等において、商品籠をショッピングカートとレジ台との間で移送する商品籠移送装置に関する。
【背景技術】
【０００２】
スーパーマーケット等で大量の商品を購入すると、商品を二つの商品籠に収納し、ショッピングカートの上下段の棚にそれぞれ商品籠を載せて搬送しなければならないことがある。
ところが、料金清算が行われるレジ台は、ショッピングカートの上段棚とほぼ同じ高さなので、下段棚に載せた商品籠は商品を収納したまま持ち上げて、レジ台の上に載せなければならない。このような重い商品籠を持ち上げる作業は、非力な女性や高齢者にとって大変な負担となる。
【０００３】
従来、ベースフレーム部とサイドフレーム部とからなる略Ｌ字型の台車本体と、サイドフレーム部に片持支持され上下に移動可能な荷物搭載用の板状リフト部を備え、リフト部に荷物を載せて店舗内を搬送し、リフト部を昇降させて荷物を自動車やカウンターに上げ下ろしすることができる店舗用搬送車が知られている（特許文献１参照）。
しかし、このものは、荷物を搬送する搬送車そのものに高価なリフト部を設置してあるので、スーパーマーケット等で多数準備されているショッピングカートの全てにこのような装置を設置すると、非常にコストが高くついて実際的ではない。
【０００４】
【特許文献１】特開２００１−６３５８４号公報
【発明の開示】
【発明が解決しようとする課題】
【０００５】
本発明が解決しようとする課題は、ショッピングカートの下段棚に載せた商品籠を簡単にレジ台へ移すことができ、コストも低廉で済む商品籠移送装置を提供することにある。
【課題を解決するための手段】
【０００６】
本発明の商品籠移送装置は、レジ台の端部に設置されたカウンターと、商品籠を載せる上段棚及び下段棚を有するショッピングカートとを備え、前記カウンターは、その上面の高さが、ショッピングカートの下段棚以下となる下降位置と、前記レジ台の上面と同じになる上昇位置との間を昇降可能であり、前記カウンター又はショッピングカートの下段棚に、下降位置における前記カウンターの上面とショッピングカートの下段棚との間に架設可能な移送板を設けてある。
【０００７】
以下の構成を採用しても良い。
カウンター設置箇所の、前記レジ台側及び移送板設置側を除く側面を透明で開閉可能な側壁により閉鎖した構成。
前記下段棚の上面にベアリングを設置した構成。
前記下段棚を移送板設置側が低くなるよう傾斜させた構成。
前記移送板を起倒可能とした構成。
前記移送板を前記カウンターの上面に摺動して出没するよう設けた構成。
【発明の効果】
【０００８】
請求項１に係る発明によれば、商品が収納された商品籠をカウンターに載せて昇降させることにより、重い商品籠を簡単にショッピングカートの下段棚からレジ台の高さへ上げたり、レジ台から下段棚の高さへ下ろすことができ、非力な女性や高齢者であっても楽に料金清算を行うことが可能となる。
また、カウンターとショッピングカートの下段棚とに移送板を架け渡すことにより、商品籠を簡単にカウンターと下段棚との間で移動させることができる。
さらに、各レジ台に昇降可能なカウンターを設置するだけなので、設置に要するコストが低廉で済む。
【０００９】
請求項２に係る発明によれば、カウンターが昇降する際に手や物品を挟む心配が無く、カウンターの状態を見ることもできる。
請求項３，４及び６に係る発明によれば、商品籠をショッピングカートの下段棚の上を滑らせて移動させるのが容易となる。
請求項５に係る発明によれば、使用しない場合には移送板が外方へ突出しないので邪魔にならない。
【発明を実施するための最良の形態】
【００１０】
本発明の商品籠移送装置は、レジ台の端部に設置されたカウンターと、商品籠を載せる上段棚及び下段棚を有するショッピングカートとを備える。カウンターは、上面の高さが、ショッピングカートの下段棚以下となる下降位置と、レジ台の上面と同じになる上昇位置との間を昇降する。カウンター又はショッピングカートの下段棚に、下降位置におけるカウンターの上面とショッピングカートの下段棚との間に架設可能な移送板を設ける。ショッピングカートの下段棚に載せた商品籠を、移送板によって下降したカウンターの上面に移動させてから、カウンターを上昇させ、さらにカウンターに載せた商品籠をレジ台に移す。
【実施例１】
【００１１】
図１〜図５は、本発明の実施例１を示す。
商品籠移送装置は、図１に示すように、レジ台１の前端部（店内側の端部）に設置されたカウンター２と、商品籠Ａを載せるための上段棚４及び下段棚５を有するショッピングカート３とを備える。
レジ台１は、スーパーマーケット等において料金清算を行う通常のレジ台と代わるところはない。
【００１２】
カウンター２は、レジ台１の奥行きとほぼ同じ奥行きで、商品籠Ａの平面よりやや広い矩形板より成り、昇降装置６で支持されている。本実施例では、昇降装置６として、多数のリンク部材より成るパンタグラフタイプのものを用いているが、エアシリンダや、電動モータで巻き取り・巻き戻しされるワイヤ等が考えられる。
そして、昇降装置６を作動させると、カウンター２は、その上面がショッピングカート３の下段棚５以下となる下降位置と、レジ台１の上面と同じ高さとなる上昇位置との間を昇降する。また、カウンター２が下降位置及び上昇位置に達すると、リミットスイッチが働いて昇降装置６が停止するようになっている。
【００１３】
カウンター２及び昇降装置６は、レジ台１の端部に設けられたフレーム７内に設置されている。フレーム７は、レジ台１の前端部に、レジ台１と同じ高さ及び幅で連続して設けられ、その後面はレジ台１で閉鎖されると共に、両側面は透明な側壁８で囲まれている。昇降装置６のメインテナンス等のために、側壁８は開閉自在としてある。
また、フレーム７の上端前縁には蓋板１０が開閉自在に取り付けられ、フレーム７の上面を蓋板１０で閉鎖できるようになっている。蓋板１０を閉じると、蓋板１０の上面とレジ台１の上面とは面一となる。
さらに、フレーム７の外面には、昇降装置６を作動させる操作スイッチ９が設置されている。
【００１４】
ショッピングカート３は、スーパーマーケット等で使用されている一般的なものとほぼ同じ構造を有するが、下段棚５の上面の先端縁に沿って移送板１１が起倒可能に設けられ、移送板１１を垂直に起立させたり、外方へ倒したりできるようになっている。そして、商品籠Ａを下段棚５に載せて搬送する際には、移送板１１を起立させておく。
なお、ショッピングカート３の上段棚４の上面先端縁にも、起倒可能な移送板１１を設けてある。
また、下段棚５は、その上面に載せた商品籠Ａを容易に滑らせることができるように、滑り易い材質で形成するか、上面にベアリングを設置すると良い。
【００１５】
この商品籠移送装置は次のように使用する。
通常は、ショッピングカート３の上段棚４に商品籠Ａを載せて搬送するので、図２に示すように、蓋板１０及び側壁８を閉じ、カウンター２は下降位置にまで下げておく。
この場合、ショッピングカート３をフレーム７の前方へ、その先端をフレーム７に向けて停止させ、上段棚４の移送板１１を倒してその先端を蓋板１０の上面に係止する。そして、上段棚４と蓋板１０に架け渡した移送板１１の上を滑らせて商品籠Ａを移動させ、さらにこの商品籠Ａをレジ台１の上に移動させて料金清算を行う。
【００１６】
ショッピングカート３の下段棚５にも商品籠Ａを載せてある時は、上段棚４上の商品籠Ａをレジ台１まで移動させた後、図３に示すように、蓋板１０を開いてフレーム７の上面を開口させる。
次に、ショッピングカート３の下段棚５の移送板１１を倒し、その先端を下降位置にあるカウンター２の上面に係止させる。そして、下段棚５とカウンター２に架け渡した移送板１１の上を滑らせて、下段棚５に載せた商品籠Ａをカウンター２上に移動させる。この時、図４に示すように、側壁８を開けてフレーム７の側面を開放すると、商品籠Ａを移動させやすい。
商品籠Ａを移動させたら、下段棚５の移送板１１は再び起立させる。
次いで、操作スイッチ９を操作してカウンター２を上昇させる。カウンター２は、上昇位置に達すると停止して、図５に示すように、その上面がレジ台１の上面と面一になるので、カウンター２の上面からレジ台１の上面へ商品籠Ａを移動させる。
【実施例２】
【００１７】
図６は、本発明の実施例２を示す。
ショッピングカート３の下段棚５を、移送板１１が設置された先端側が低くなるようやや傾斜させてある。従って、下段棚５の上に載せた商品籠Ａを簡単に移送板１１に向けて滑らせることができる。
その他の構成及び使用方法は、実施例１と変わるところはない。
【実施例３】
【００１８】
図７及び図８は、本発明の実施例３を示す。
本実施例では、図７に示すように、カウンター２の上面に移送板１１を、前後方向へ摺動して前端から出没するよう設置してある。
また、図８に示すように、カウンター２は下降位置にある時、その上面とショッピングカート３の下段棚５の上面とが面一になる。
移送板１１の先端部は先細の断面テーパー状に形成されているので、下段棚５に商品籠Ａが載せられたショッピングカート３を下降位置にあるカウンター２の前端に臨んで停止させ、移送板１１を前方へ突出させると、移送板１１は商品籠Ａと下段棚５との間に差し込まれ、下段棚５とカウンター２との間に架設された移送板１１の上に商品籠Ａが載る。
この状態で移送板１１を後方へ摺動させると、移送板１１に載置された商品籠Ａは移送板１１と共にカウンター２の上面に移動する。
なお、移送板１１は、電動で摺動させても、手動で摺動させても良い。
その他の構成及び使用方法は実施例とほぼ同じである。
【００１９】
なお、実施例１において、移送板１１をカウンター２の上面後縁に起倒可能に設け、移送板１１を倒してその先端を下段棚５の上面に係止するようにしても良い。
また、蓋板１０を設けず、上昇位置にあるカウンター２でフレーム７の上面を閉鎖しても良い。
さらに、レジ台１の後端部にもカウンター２を設置し、料金清算が終了した商品をレジ台１からショッピングカート３の下段棚５へ移送することもできる。
【図面の簡単な説明】
【００２０】
【図１】実施例１を示す商品籠移送装置の側面図。
【図２】実施例１を示す通常状態における商品籠移送装置の側面図。
【図３】実施例１を示す下段棚からカウンターへ商品籠を移送する際の商品籠移送装置の側面図。
【図４】実施例１に係る商品籠移送装置の要部斜視図。
【図５】実施例１を示すカウンターを上昇させた時の商品籠移送装置の側面図。
【図６】実施例２に係るショッピングカートの側面図。
【図７】実施例３に係るカウンターの平面図。
【図８】実施例３を示す商品籠移送装置の側面図。
【符号の説明】
【００２１】
Ａ  商品籠
１  レジ台
２  カウンター
３  ショッピングカート
４  上段棚
５  下段棚
６  昇降装置
７  フレーム
８  側壁
９  操作スイッチ
１０  蓋板
１１  移送板
【図１】
2008254836.tif 000003
【図２】
2008254836.tif 000004
【図３】
2008254836.tif 000005
【図４】
2008254836.tif 000006
【図５】
2008254836.tif 000007
【図６】
2008254836.tif 000008
【図７】
2008254836.tif 000009
【図８】
2008254836.tif 000010